(57)【要約】【課題】目尻方向からの液体噴出で洗浄する洗眼容器を提案する。【解決手段】容器体２上方から横方向へ噴射ノズル４を突出する、液体噴出手段付きの容器１と、該容器の上部側面へ装着させた受液ボール１１とからなり、受液ボール１１は有底周壁１２の一方側部の外面から容器１へ嵌合させた取付部１４を突出すると共に、該取付部側の周壁部分両側からストッパ１７を起立し、又上記両ストッパ間へ噴射ノズル４を挿通させ、該ノズルは両ストッパ間で揺動可能とした。【選択図】    図３
2005021253.tif 000002
【特許請求の範囲】
【請求項１】
容器体２上方から横方向へ噴射ノズル４を突出する、液体噴出手段付きの容器１と、
該容器の上部側面へ装着させた受液ボール１１とからなり、
該ボールは、有底周壁１２の側面から上記容器へ嵌合させた取付部１４を突出させると共に、該取付部側周壁部分の両側からストッパ１７を起立させて形成し、又受液ボール装着状態で上記ストッパ１７間へ噴射ノズル４が位置し、該噴射ノズルは両ストッパの各内面へ接する範囲で受液ボールに対して揺動可能に形成した
ことを特徴とする洗眼容器。
【請求項２】
上記取付部１４側と対向する受液ボール１１の周壁部分側から、防水板２０を起立させた
ことを特徴とする請求項１記載の洗眼容器。
【請求項３】
上記両ストッパ１７間下方の周壁部分から突板１９を起立させ、両ストッパー間を揺動する噴射ノズル４下面が突板１９上面へ接し、摩擦抵抗に抗して乗越え可能とした
ことを特徴とする、請求項１又は２記載の洗眼容器。
【発明の詳細な説明】
【０００１】
【発明の属する技術分野】
本発明は洗眼容器に関する。
【０００２】
【従来の技術】
容器体口頸部へ噴射ノズル付き栓を嵌合させると共に該容器体口頸部へ基端筒部を嵌合させてボールを起立させ、容器体内液体噴出操作で上記噴射ノズルから噴出させた液体で洗眼し、その洗浄水はボール内へ貯って、洗眼終了後にその洗浄水を排出する洗眼容器が知られている（特許資料１）。
【０００３】
【特許文献１】
特開平１１−２９９８５４号公報。
【０００４】
【発明が解決しようとする課題】
上記洗眼容器は、眼の前方に噴射ノズル先端を位置させ、眼球に対して正面から洗浄水を噴出させるから、恐怖感ないし警戒感が生じ易い。
【０００５】
本発明は目尻方向からの洗浄水放出で洗眼が出来るよう設けたものである。
【０００６】
【課題を解決するための手段】
第１の手段として容器体２上方から横方向へ噴射ノズル４を突出する、液体噴出手段付きの容器１と、
該容器の上部側面へ装着させた受液ボール１１とからなり、
該ボールは、有底周壁１２の側面から上記容器へ嵌合させた取付部１４を突出させると共に、該取付部側周壁部分の両側からストッパ１７を起立させて形成し、又受液ボール装着状態で上記ストッパ１７間へ噴射ノズル４が位置し、該噴射ノズルは両ストッパの各内面へ接する範囲で受液ボールに対して揺動可能に形成した。
【０００７】
第２の手段として、上記第１の手段を有すると共に上記取付部１４側と対向する受液ボール１１の周壁部分側から、防水板２０を起立させた。
【０００８】
第３の手段として、上記第１又は第２の手段を有すると共に上記両ストッパ１７間下方の周壁部分から突板１９を起立させ、両ストッパー間を揺動する噴射ノズル４下面が突板１９上面へ接し、摩擦抵抗に抗して乗越え可能とすると共に、上記取付部１４側を対向する周壁部分側から防水板２０を起立させた。
【０００９】
【発明の実施の形態】
以下図面について説明すると、本発明洗眼容器は、容器と該容器へ装着させた受液ボールとで形成する。
【００１０】
容器１は、容器体内へ縦形ポンプを収させた容器とし、容器体２内へ垂設したシリンダ内から上方付勢されて起立するヘッド３を押下げすると、シリンダ内液体が高圧化してステムを介してヘッド側面から横方向へ突出する噴射ノズル４から液体が噴出するよう設けている。
【００１１】
５は容器体口頸部外面へ螺合させた、縦形ポンプの装着筒で該装着筒上端からは内向きフランジ状壁を介して上記ヘッド３上下動用のガイド筒６を起立する。
【００１２】
容器は液体噴出手段付きであればよく、特許資料１の場合のように、容器体胴部の圧搾で容器体内が高圧化し、該高圧化で噴射ノズルから容器体内へ垂下された吐出パイプを介して容器体内液体が噴出するよう設けたものでもよく、又エアゾール式容器であってもよい。
【００１３】
受液ボール１１は、図３が示すように上方からみて左右方向へ長い、ほぼ長方形状の周壁１２を底壁１３外周から起立する。その周壁の前後両壁部は少くともその上部を周壁内方へ弯曲させてその上端部を眼下方の顔面部分へ押付けたとき、その周壁前後両壁部上端のいずれかが上記眼下方の顔面部分へ密着するよう設けている。
【００１４】
その周壁１２の左右方向一端外面からは既述容器へ嵌合させる取付部１４を突出する。該取付部は、平面優弧状壁１５の上下両端へ内向きフランジ１６，１６  を付設し、その優弧状壁中間部外面を上記周壁１２の左端部外面へ付設し、上記優弧状壁の開口部分を装着筒５外面へ押付けることで、その取付部１４を装着筒外面へ嵌合させている。尚該取付部は上端に内向きフランジを有する上下両面開口の筒状としてもよく、この場合はその筒部を装着筒５外面へ嵌合させ、かつその内向きフランジを装着筒上端の内向きフランジ状壁上面へ載置させる。
【００１５】
又受液ボール１１の上記取付部側周壁部分の前後両側からはストッパ１７，１７  を起立させる。図示例ではそれ等両ストッパ上端を逆Ｕ字状弯曲板１８で連結している。それ等両ストッパは、それ等の間へ図３が示すように噴射ノズル４を挿入させ、又それ等両ストッパ間で噴射ノズル４を前後方向へ揺動可能とするが、このことについては後述する。又上記両ストッパ間の周壁部分中間からは突板１９を起立させており、該突板は噴射ノズル４を両ストッパ間で前後方向へ揺動させたとき、噴射ノズル下面が突板上面へ接し乍ら乗越えするよう設けている。この点についても後述する。
【００１６】
上記取付部１４側と対向する受液ボール周壁部分からは、防水板２０を起立させている。該防水板についても後述する。
【００１７】
上記構成において、例えば右目洗浄の際は、図２および図３が示すように噴射ノズル４を顔の右目尻側へ位置させて受液ボール周壁１３の後壁部分上端を右目下方部分へ圧接させる。このとき防水板２０の後方側縁２０ａ  は右目の目頭と鼻との間の顔面部分へ接するようにする。又噴射ノズル４は図３が示すように後方側へ傾斜させて該ノズルからの噴出液が右眼の右方眼球部分へ当たるよう設ける。よって該状態からの噴出操作で噴出液体は右目を洗浄できる。
【００１８】
左眼洗浄の際は受液ボール１１の前後の向き、又図３が二点鎖線で示すように噴射ノズル４の突出方向等を変えることで行うことが出来る。
【００１９】
噴出された洗浄水は受液ボール１１内へ貯まるから、洗浄終了後、排水すればよい。
【００２０】
尚受液ボール１１に対する噴射ノズル４突出方向の変更は、容器に対して受液ボールの取付部１４を回動させて行ってもよいが、容器体に対する、噴射ノズル付きヘッド３の回動で行う方が便利である。液体噴出操作１回毎の噴出液体量は定量であることが望ましい。図示例のように縦形ポンプ付き容器を使用する場合は、シリンダの容量を一定とし、かつヘッド１回の押下げでシリンダ内液体の全部が噴出するようにすることで、噴出する液体量も一定とすることが出来る。
【００２１】
【発明の効果】
本発明は既述構成とするもので、請求項１記載のようにすることで、目尻側からの液体噴出で洗眼でき、よって正面側からの液体噴出の場合に比べて恐怖感ないし警戒感を和らげることが出来る。
【００２２】
請求項２のようにすることで、洗眼用噴出水の飛散を防止して受液ボール１１内へ貯め、排水できる。
【００２３】
請求項３のようにすることで、人為的に突板１９上面を乗越えさせない限り噴射ノズル４の突出方向が変わることはなく、又突板上面乗越えの手応えでその噴射ノズル突出方向切換えを確認でき、よって目視による確認を不要とすることが出来る。
【図面の簡単な説明】
【図１】本発明容器の斜視図である。
【図２】受液ボールを断面として示す、図１容器の側面図である。
【図３】図１容器の平面図である。
【符号の説明】
１…容器                              ３…ヘッド
４…噴射ノズル                  １１…受液ボール
１４…取付部                      １５…優弧状壁
１７…ストッパ                                    １９…突板
２０…防水板
【図１】
2005021253.tif 000003
【図２】
2005021253.tif 000004
【図３】
2005021253.tif 000005